(57)【要約】【課題】本発明は、直下型バックライトユニットにおいて導光板の垂れを防ぐようにしたバックライトユニットに関する。【解決手段】本発明に係るバックライトユニットは、光源と、前記光源上に配置された拡散板と、前記光源の一側の近傍から立てられ、前記拡散板の一側の末端に向かうように傾く第１の反射部材、及び前記光源の他側の近傍から立てられ、前記拡散板の他側の末端に向かうように傾く第２の反射部材を備える。【選択図】図６
2006351540.tif 000002
【特許請求の範囲】
【請求項１】
光源と、前記光源上に配置された拡散板と、前記光源の一側の近傍から立てられ、前記拡散板の一側の末端に向かうように傾く第１の反射部材、及び前記光源の他側の近傍から立てられ、前記拡散板の他側の末端に向かうように傾く第２の反射部材を備えることを特徴とするバックライトユニット。
【請求項２】
前記光源は、赤色光を発生する赤色発光ダイオード、緑色光を発生する緑色発光ダイオード及び青色光を発生する青色発光ダイオードが一列に配置される、少なくとも一つの第１の発光ダイオード列、及び前記赤色発光ダイオード、前記緑色発光ダイオード及び前記青色発光ダイオードが一列に配置され、前記第１の発光ダイオード列と並べて配置される、少なくとも一つの第２の発光ダイオード列を備え、前記発光ダイオードそれぞれは光が側方に放出されるサイドエミッター発光ダイオードであることを特徴とする請求項１に記載のバックライトユニット。
【請求項３】
前記第１の反射部材は前記第１の発光ダイオード列の近傍に配置され、前記第２の反射部材は前記第２の発光ダイオード列の近傍に配置されることを特徴とする請求項１に記載のバックライトユニット。
【請求項４】
前記第１の反射部材は前記ケースの底面に対して所定の第１の勾配で前記光源の一側の近傍から立てられる第１の側壁及び前記ケースの底面に対して前記第１の勾配より低い第２の勾配で前記第１の側壁から伸張され、末端が前記拡散板の一側の末端に位置する第１の傾斜面を備え、前記第２の反射部材は前記ケースの底面に対して前記第１の勾配で前記光源の他側の近傍から立てられる第２の側壁及び前記ケースの底面に対して第２の勾配で前記第２の側壁から伸張され、末端が前記拡散板の他側の末端の近傍に位置する第２の傾斜面を備えることを特徴とする請求項１に記載のバックライトユニット。
【請求項５】
前記第１及び第２の反射部材のぞれぞれは曲面を有することを特徴とする請求項１に記載のバックライトユニット。
【請求項６】
前記曲面は断面がログ関数のカーブ形態を有することを特徴とする請求項５に記載のバックライトユニット。
【請求項７】
赤色光を発生する赤色発光ダイオード、緑色光を発生する緑色発光ダイオード及び青色光を発生する青色発光ダイオードが一列に配置される、少なくとも一つの第１の発光ダイオード列と、前記赤色発光ダイオード、前記緑色発光ダイオード及び前記青色発光ダイオードが一列に配置され、前記第１の発光ダイオード列と並べて配置される、少なくとも一つの第２の発光ダイオード列と、前記発光ダイオード列の上に配置された拡散板と、前記光源の一側の近傍から立てられ、前記拡散板の一側の末端に向かうように傾く第１の反射部材と、前記光源の他側の近傍から立てられ、前記拡散板の他側の末端に向かうように傾く第２の反射部材、及び前記第１の発光ダイオード列と前記第２の発光ダイオード列の間に配置され、前記第１及び第２の反射部材より低い高さを有する第３の反射部材を備えることを特徴とするバックライトユニット。
【請求項８】
前記発光ダイオードそれぞれは光が側方に放出されるサイドエミッター発光ダイオードであることを特徴とする請求項７に記載のバックライトユニット。
【請求項９】
前記第１の反射部材は前記ケースの底面に対して所定の第１の勾配で前記光源の一側の近傍から立てられる第１の側壁及び前記ケースの底面に対して前記第１の勾配より低い第２の勾配で前記第１の側壁から伸張され、末端が前記拡散板の一側の末端に位置する第１の傾斜面を備え、前記第２の反射部材は前記ケースの底面に対して前記第１の勾配で前記光源の他側の近傍から立てられる第２の側壁及び前記ケースの底面に対して第２の勾配で前記第２の側壁から伸張され、末端が前記拡散板の他側の末端の近傍に位置する第２の傾斜面を備えることを特徴とする請求項７に記載のバックライトユニット。
【請求項１０】
前記第１及び第２の反射部材ぞれぞれは曲面を有することを特徴とする請求項７に記載のバックライトユニット。
【請求項１１】
前記曲面は断面がログ関数のカーブ形態を有することを特徴とする請求項７に記載のバックライトユニット。
【請求項１２】
光源と、前記光源上に配置された拡散板と、前記光源の一側の近傍から立てられ、前記拡散板の一側の末端に向かうように傾く第１の反射部材及び前記光源の他側の近傍から立てられ、前記拡散板の他側の末端に向かうように傾く第２の反射部材を含むバックライトユニット、及び前記バックライトユニットから照射される光を用いて画像を表示する液晶表示パネルを備えることを特徴とする液晶表示装置。
【請求項１３】
前記光源は、赤色光を発生する赤色発光ダイオード、緑色光を発生する緑色発光ダイオード及び青色光を発生する青色発光ダイオードが一列に配置される、少なくとも一つの第１の発光ダイオード列、及び前記赤色発光ダイオード、前記緑色発光ダイオード及び前記青色発光ダイオードが一列に配置され、前記第１の発光ダイオード列と並べて配置される、少なくとも一つの第２の発光ダイオード列を備え、前記発光ダイオードそれぞれは光が側方に放出されるサイドエミッター発光ダイオードであることを特徴とする請求項１２に記載の液晶表示装置。
【請求項１４】
前記第１の反射部材は前記第１の発光ダイオード列の近傍に配置され、前記第２の反射部材は前記第２の発光ダイオード列の近傍に配置されることを特徴とする請求項１２に記載の液晶表示装置。
【請求項１５】
前記第１の反射部材は前記ケースの底面に対して所定の第１の勾配で前記光源の一側の近傍から立てられる第１の側壁及び前記ケースの底面に対して前記第１の勾配より低い第２の勾配で前記第１の側壁から伸張され、末端が前記拡散板の一側の末端に位置する第１の傾斜面を備え；前記第２の反射部材は前記ケースの底面に対して前記第１の勾配で前記光源の他側の近傍から立てられる第２の側壁及び前記ケースの底面に対して第２の勾配で前記第２の側壁から伸張され、末端が前記拡散板の他側の末端の近傍に位置する第２の傾斜面を備えることを特徴とする請求項１２に記載の液晶表示装置。
【請求項１６】
前記第１及び第２の反射部材ぞれぞれは曲面を有することを特徴とする請求項１２に記載の液晶表示装置。
【請求項１７】
前記曲面は断面がログ関数のカーブ形態を有することを特徴とする請求項１２に記載の液晶表示装置。
【請求項１８】
赤色光を発生する赤色発光ダイオード、緑色光を発生する緑色発光ダイオード及び青色光を発生する青色発光ダイオードが一列に配置される、少なくとも一つの第１の発光ダイオード列と、前記赤色発光ダイオード、前記緑色発光ダイオード及び前記青色発光ダイオードが一列に配置され、前記第１の発光ダイオード列と並べて配置される、少なくとも一つの第２の発光ダイオード列と、前記発光ダイオード列の上に配置された拡散板と、前記光源の一側の近傍から立てられ、前記拡散板の一側の末端に向かうように傾く第１の反射部材、前記光源の他側の近傍から立てられ、前記拡散板の他側の末端に向かうように傾く第２の反射部材及び前記第１の発光ダイオード列と前記第２の発光ダイオード列の間に配置され、前記第１及び第２の反射部材より低い高さを有する第３の反射部材を備えることを特徴とするバックライトユニット、及び前記バックライトユニットから照射される光を用いて画像を表示する液晶表示パネルを備えることを特徴とする液晶表示装置。
【請求項１９】
前記発光ダイオードそれぞれは光が側方に放出されるサイドエミッター発光ダイオードであることを特徴とする請求項１８に記載の液晶表示装置。
【請求項２０】
前記第１の反射部材は前記ケースの底面に対して所定の第１の勾配で前記光源の一側の近傍から立てられる第１の側壁及び前記ケースの底面に対して前記第１の勾配より低い第２の勾配で前記第１の側壁から伸張され、末端が前記拡散板の一側の末端に位置する第１の傾斜面を備え、前記第２の反射部材は前記ケースの底面に対して前記第１の勾配で前記光源の他側の近傍から立てられる第２の側壁及び前記ケースの底面に対して第２の勾配で前記第２の側壁から伸張され、末端が前記拡散板の他側の末端の近傍に位置する第２の傾斜面を備えることを特徴とする請求項１８に記載の液晶表示装置。
【請求項２１】
前記第１及び第２の反射部材ぞれぞれは曲面を有することを特徴とする請求項１８に記載の液晶表示装置。
【請求項２２】
前記曲面は断面がログ関数のカーブ形態を有することを特徴とする請求項１８に記載の液晶表示装置。
【発明の詳細な説明】
【技術分野】
【０００１】
本発明は、バックライトユニットに関し、特に、直下型バックライトユニットにおいて導光板の垂れを防ぐようにしたバックライトユニットに関する。また、本発明は、前記バックライトユニットを用いて表示品質を向上させるようにした液晶表示装置に関する。
【背景技術】
【０００２】
一般的に、液晶表示装置（Ｌｉｑｕｉｄ  Ｃｒｙｓｔａｌ  Ｄｉｓｐｌａｙ）は、軽量、薄形、低消費電力駆動等の特徴により、その応用範囲が漸次広がっている。これに従って、液晶表示装置は、事務自動化機器、オーディオ/ビデオ機器等に用いられている。一方、液晶表示装置は、マトリクス状に配列された複数の制御用スイッチに印加される信号に応じて光ビームの透過量が調節され、画面に望む画像を表示するようになる。
【０００３】
このような液晶表示装置は、自発光表示装置ではないため、バックライトのような光源が必要になる。このような液晶表示装置用バックライトは、光源の位置によって直下型方式とエッジ型方式等がある。エッジ型バックライトは、液晶表示装置の一側の縁部に光源を設けたものであり、光源から入射される光を透明な導光板を用いて液晶表示パネルの全体面に照射する。直下型バックライトは、液晶表示装置の画面の下に光源を複数個配置したものであり、光源から入射される光を液晶表示パネルの全体面に照射する。そして、光源の種類には冷陰極蛍光管型と発光ダイオード（ＬＥＤ）型がある。近来ではＬＥＤの高い光効率と長寿命の特性とを有しているため、光源として用いられている。
【０００４】
図１及び図２は、従来のＬＥＤを使用する中小形液晶表示装置を示す図面である。ここで、中小形というのは画面サイズが１０型以上、３０型以下の液晶表示装置を指す。
【０００５】
図１及び図２を参照すると、従来の液晶表示装置は画像を示すための液晶表示パネル１１と、液晶表示パネル１１に均一な光を照射するためのバックライトユニットとを備える。
【０００６】
液晶表示パネル１１は、液晶分子を電気的に制御してバックライトユニットから入射される光を変調することにより画像を示す。
【０００７】
バックライトユニットは、ケース１８と、ケース１８の全面に積層される反射板１７と、反射板１７上に位置する複数のＬＥＤ１９と、ケース１８の開口部を覆う拡散板１５と、拡散板１５と反射板１７の間に配置される導光板１６と、導光板１６に付着される反射体２０及び拡散板１５上に積層される光学シート１４を備える。
【０００８】
ケース１８は容器形態に製作され、その内部空間に接する全面に反射板１７が付着される。ケース１８の内部空間において、複数のＬＥＤ１９は導光板１６に付着された反射体２０に沿って二つの列に配置される。ＬＥＤ１９の透明キャップは反射板１７を貫通してケース１８の内部空間に露出される。また、ケース１８の開口部は拡散板１５により遮蔽される。ケース１８と拡散板１５との間に設けられた内部空間には光が混合される空間が設けられ、導光板１６が配置される。
【０００９】
反射板１７は、ケース１８の内部空間で複数のＬＥＤ１９の下に配置され、ＬＥＤ１９から発生された光を反射させ、液晶表示パネル１１に進行する光の効率を増大させる。
【００１０】
ＬＥＤ１９は、青色光を発生する青色ＬＥＤ、緑色光を発生する緑色ＬＥＤ及び赤色光を発生する赤色ＬＥＤを含む。それぞれのＬＥＤ列において、青色ＬＥＤ、緑色ＬＥＤ及び赤色ＬＥＤの順に、または緑色ＬＥＤ、青色ＬＥＤ及び赤色ＬＥＤの順にＬＥＤ１９が配置される。
【００１１】
導光板１６は反射体２０を支持し、ケース１８の内部空間において拡散板１５とＬＥＤ１９との間に配置される。
【００１２】
反射体２０はダイバータ（ｄｉｖｅｒｔｅｒ）とも称し、それぞれのＬＥＤ列１９と垂直に対向するように導光板１６の背面に付着され、ＬＥＤ１９から入射される光を反射させる。
【００１３】
拡散板１５は、ケース１８の開口部を遮蔽する器具の役割と共に、ケース１８の内部空間で混合された光を拡散させ、液晶表示パネル１１の方に進行させる。
【００１４】
光学シート１４は拡散板１５からの光を拡散させ、その光の進行経路を制御する。
【００１５】
このような液晶表示装置において、ケース１８の内部空間で、ＬＥＤ１９から発生される赤、緑及び青色の光が導光板１６に付着された反射体２０と反射板１７により反射され、ケース１８の内部空間で混合され、白色光に変換される。そして、白色光が拡散板１５と光学シート１４を経由して液晶表示パネル１１に入射される。
【００１６】
このような従来の液晶表示装置は、ＬＥＤ１９とケース１８の内部空間から発生される熱により導光板１６が垂れてしまう問題点がある。導光板１６が垂れると反射体２０とＬＥＤ１９が接触されるか、導光板１６に付着された反射体２０とＬＥＤ列が垂直に対向せず、外れて位置される可能性がある。この場合、ＬＥＤ１９から発生される光が導光板１６に付着された反射体２０に反射されずに導光板１６に直接入射される。このようにＬＥＤ１９からの光が導光板１６に直接入射されると、液晶表示パネル１１に入射される光が赤色、緑色または青色を示してしまい、結局、液晶表示パネル１１の色再現性が低下される。
【発明の開示】
【発明が解決しようとする課題】
【００１７】
従って、本発明の目的は、直下型バックライトユニットにおいて導光板の垂れを防ぐようにしたバックライトユニットを提供することにある。
【００１８】
本発明の外の目的は、前記バックライトユニットを用いて表示品質を向上させるようにした液晶表示装置を提供することにある。
【課題を解決するための手段】
【００１９】
前記の目的の達成のため、本発明の第１の実施の形態に係るバックライトユニットは、光源と、前記光源上に配置された拡散板と、前記光源の一側の近傍から立てられ、前記拡散板の一側の末端に向かうように傾く第１の反射部材と、前記光源の他側の近傍から立てられ、前記拡散板の他側の末端に向かうように傾く第２の反射部材とを備える。
【００２０】
前記光源は、赤色光を発生する赤色発光ダイオード、緑色光を発生する緑色発光ダイオード及び青色光を発生する青色発光ダイオードが一列に配置される、少なくとも一つの第１の発光ダイオード列と前記赤色発光ダイオード、前記緑色発光ダイオード及び前記青色発光ダイオードが一列に配置され、前記第１の発光ダイオード列と並べて配置される、少なくとも一つの第２の発光ダイオード列とを備え、前記発光ダイオードのそれぞれは光が側方に放出されるサイドエミッター発光ダイオードである。
【００２１】
前記第１の反射部材は前記第１の発光ダイオード列の近傍に配置され、前記第２の反射部材は前記第２の発光ダイオード列の近傍に配置される。
【００２２】
前記第１の反射部材は前記ケースの底面に対して所定の第１の勾配で前記光源の一側の近傍から立てられる第１の側壁及び前記ケースの底面に対して前記第１の勾配より低い第２の勾配で前記第１の側壁から伸張され、末端が前記拡散板の一側の末端に位置する第１の傾斜面を備え、前記第２の反射部材は前記ケースの底面に対して前記第１の勾配で前記光源の他側の近傍から立てられる第２の側壁及び前記ケースの底面に対して第２の勾配で前記第２の側壁から伸張され、末端が前記拡散板の他側の末端の近傍に位置する第２の傾斜面を備える。
【００２３】
前記第１及び第２の反射部材のぞれぞれは曲面を有する。
【００２４】
前記曲面は断面がログ関数のカーブ形態を有する。
【００２５】
本発明の第２の実施の形態に係るバックライトユニットは、赤色光を発生する赤色発光ダイオード、緑色光を発生する緑色発光ダイオード及び青色光を発生する青色発光ダイオードが一列に配置される、少なくとも一つの第１の発光ダイオード列と、前記赤色発光ダイオード、前記緑色発光ダイオード及び前記青色発光ダイオードが一列に配置され、前記第１の発光ダイオード列と並べて配置される、少なくとも一つの第２の発光ダイオード列と、前記発光ダイオード列の上に配置された拡散板と、前記光源の一側の近傍から立てられ、前記拡散板の一側の末端に向かうように傾く第１の反射部材と、前記光源の他側の近傍から立てられ、前記拡散板の他側の末端に向かうように傾く第２の反射部材、及び前記第１の発光ダイオード列と前記第２の発光ダイオード列の間に配置され、前記第１及び第２の反射部材より低い高さを有する第３の反射部材を備える。  
【００２６】
本発明の第１の実施の形態に係る液晶表示装置は、光源と、前記光源上に配置された拡散板と、前記光源の一側の近傍から立てられ、前記拡散板の一側の末端に向かうように傾く第１の反射部材及び前記光源の他側の近傍から立てられ、前記拡散板の他側の末端に向かうように傾く第２の反射部材を含むバックライトユニット、及び前記バックライトユニットから照射される光を用いて画像を表示する液晶表示パネルを備える。
【００２７】
本発明の第２の実施の形態に係る液晶表示装置は、赤色光を発生する赤色発光ダイオード、緑色光を発生する緑色発光ダイオード及び青色光を発生する青色発光ダイオードが一列に配置される、少なくとも一つの第１の発光ダイオード列と、前記赤色発光ダイオード、前記緑色発光ダイオード及び前記青色発光ダイオードが一列に配置され、前記第１の発光ダイオード列と並べて配置される、少なくとも一つの第２の発光ダイオード列と、前記発光ダイオード列の上に配置された拡散板と、前記光源の一側の近傍から立てられ、前記拡散板の一側の末端に向かうように傾く第１の反射部材、前記光源の他側の近傍から立てられ、前記拡散板の他側の末端に向かうように傾く第２の反射部材及び前記第１の発光ダイオード列と前記第２の発光ダイオード列の間に配置され、前記第１及び第２の反射部材より低い高さを有する第３の反射部材を備えることを特徴とするバックライトユニット、及び前記バックライトユニットから照射される光を用いて画像を表示する液晶表示パネルを備える。
【発明の効果】
【００２８】
本発明は、反射板の構造を改善して別途の導光板を具備しないため、導光板の垂れを防ぐことができ、液晶表示装置の表示品質を向上させることができる。
【発明を実施するための最良の形態】
【００２９】
前記目的の外、本発明の他の目的及び特徴は添付の図面を参照した実施の形態ついての説明を通じて明らかになる。
【００３０】
以下、本発明の好ましい実施の形態を、図３ないし図７を参照して詳細に説明する。
【００３１】
図３及び図４を参照すると、本発明の第１の実施の形態に係る液晶表示装置は、画像を示すための液晶表示パネル３１と、液晶表示パネル３１に均一な光を照射するためのバックライトユニットとを備える。
【００３２】
液晶表示パネル３１は、上部及び下部基板の間に、液晶セルがアクティブマトリクス状に配列され、この液晶セルそれぞれに電界を印加するための画素電極と共通電極が設けられる。このような画素電極それぞれはスイッチ素子に使用される薄膜トランジスタ（ＴＦＴ）に接続される。画素電極は薄膜トランジスタを通じて供給されるデータ信号に応じて、共通電極と共に液晶セルを駆動し、ビデオ信号に当たる画像を示す。  
【００３３】
このような液晶表示パネル３１の工程は、基板洗浄、基板パターニング工程、配向膜形成/ラビング工程、基板合着/液晶注入工程、実装工程、検査工程、リペア工程等に分けられる。基板洗浄工程においては、基板の表面にある汚れた異物質を洗浄液で除去するようになる。基板パターニング工程においては、液晶表示パネルの上部基板（カラーフィルタ基板）のパターニングと下部基板（ＴＦＴ−アレイ基板）のパターニングに分けられる。上部基板には、カラーフィルタ、共通電極、ブラックマトリクス等が形成される。下部基板には、データラインとゲートライン等の信号配線が形成され、データラインとゲートラインとの交差部にＴＦＴが形成され、ＴＦＴのソース電極に接続されるデータラインとゲートラインの間の画素領域に画素電極が形成される。配向膜形成/ラビング工程においては、上部基板と下部基板のそれぞれに配向膜を塗布し、その配向膜をラビング布等にラビングする。基板合着/液晶注入工程においては、シーラント（Ｓｅａｌａｎｔ）を用いて上部基板と下部基板とを合着し、液晶注入口を通じて液晶とスペーサを注入した後、その液晶注入口を封止する工程が行われる。液晶表示パネル３１の実装工程においては、ゲートドライブ集積回路及びデータドライブ集積回路等の集積回路が実装されたテープキャリアパッケージ（ＴＣＰ）を基板上のパッド部に接続させる。このようなドライブ集積回路は前述のＴＣＰを用いたＴＡＢ（Ｔａｐｅ  Ａｕｔｏｍａｔｅｄ  Ｂｏｎｄｉｎｇ）方式以外に、ＣＯＧ（Ｃｈｉｐ  Ｏｎ  Ｇｌａｓｓ）方式等に基板上に直接実装されることもできる。検査工程は、下部基板に各種信号配線と画素電極が形成された後に行われる電気的検査と、基板合着/液晶注入工程の後に行われる電気的検査及び肉眼検査を含む。リペア工程は、検査工程によりリペアできると判定された基板に対する復元を行う。このような工程により完成された液晶表示パネル３１と共に、バックライトユニット、印刷回路ボード（ＰＣＢ）及びケース/キャッシュ部材が組み立てられたモジュールを液晶表示モジュールであるという。
【００３４】
バックライトユニットは、ケース３７と、ケース３７の内部空間に装着されるＶ−ブロック型反射板３６と、ケース内の反射板上に配置される複数のＬＥＤ３８と、ＬＥＤ３８とＶ−ブロック型反射板３６が内蔵されたケース３７の開口部を遮蔽する拡散板３５及び拡散板３５上に積層される光学シート３４を備える。
【００３５】
ケース３７は、内部にＶ−ブロック型反射板３６とＬＥＤ３８とが配置されるように、容器形態に製作される。このケース３７の縁部と拡散板３５の縁部とが固定され、ケース３７の底面には反射シートが付着される。
【００３６】
Ｖ−ブロック型反射板３６はＬＥＤ３８からの光を拡散板３５側に反射させる役割をする。このＶ−ブロック型反射板３６は、ケース３７の両側において対称的に所定の第１の勾配（θ１）でｈだけ立てられた第１及び第２の側壁３９、４０、その第１及び第２の側壁３９、４０のそれぞれで対称的に横たえられた第１及び第２の傾斜面４１、４２を含む。第１の側壁３９は、ケース３７の底面に対して第１の勾配（θ１）に傾き、第１の傾斜面４１はケース３７の底面に対して第１の勾配（θ１）より低い第２の勾配（θ２）で第１の側壁３９から伸張され、末端が拡散板３５の一側の末端の近傍に位置する。そして、第２の側壁４０は、ケース３７の底面に対して第１の勾配（θ１）に傾き、第２の傾斜面４２は、ケース３７の底面に対して第２の勾配（θ２）で第２の側壁４０から伸張され、末端が拡散板３５の他側の末端の近傍に位置する。
【００３７】
このようなＶ−ブロック型反射板３６において、側壁３９、４０と傾斜面４１、４２の勾配と高さは、ＬＥＤ３８からの光が側壁３９、４０内で十分に混合された後に拡散板３５側に進行するように最適化されるべきである。このために、光混合程度と光の均一度のため、第１の側壁３９と第２の側壁４０間の距離２ｌ１は８０〜１２０ｍｍ以内が好ましく、第１の側壁３９と第２の側壁４０それぞれの高さ（ｈ）は２０〜５０ｍｍが好ましい。隣接して並べている二つのＬＥＤ列の間のピッチ（Ｐ）、即ち、一側ＬＥＤ３８の中心と他側ＬＥＤ３８の間の中心との距離は４０〜８０ｍｍが好ましい。また、Ｖ−ブロック型反射板３６の最大高さ（Ｈ）は２０〜５０ｍｍ、好ましくは３０〜４０ｍｍ程が適当である。
【００３８】
第１及び第２の傾斜面４１、４２と拡散板３５の間の第２の勾配（θ２）は、Ｖ−ブロック型反射板３６の長さＬから第１の側壁３９と第２の側壁４０との距離を引く、その結果値の半分値と、Ｈとｈの差異値とのアークタンジェント値で定められる。このようなＶ−ブロック型反射板３６は、反射率の高い、軽いアルミニウムやプラスチック材質に形成される。
【００３９】
結果的に、ＬＥＤ３８から出射された青、緑及び赤色光は、第１の側壁３９と第２の側壁４０の間で反射されることにより混合され、白色光に変換された後、カラーミキシングされた白色光は拡散板３５に対する入射角によって、拡散板３５に直接入射されるか、拡散板３５で反射された後に第１の傾斜面４１と第２の傾斜面４２により反射され、また拡散板３５に再入射される。
【００４０】
ＬＥＤ３８は、青色光を発生する青色光を発生する青色ＬＥＤと、緑色光を発生する緑色ＬＥＤ及び赤色光を発生する赤色ＬＥＤを含み、Ｖ−ブロック型反射板３６の第１及び第２の側壁３９、４０の間の平板な底面上で、少なくとも２列以上配置される。それぞれのＬＥＤ列において、青色ＬＥＤ、緑色ＬＥＤ及び赤色ＬＥＤの順に、または緑色ＬＥＤ、青色ＬＥＤ及び赤色ＬＥＤの順にＬＥＤ３８が配置される。
【００４１】
このようなＬＥＤ３８のそれぞれは、半導体のｐ−ｎ接合構造を用いて注入された小数キャリア（電子または陽孔）を作り出し、これらの再結合により発光させるものとして、発光ダイオードに適合な材料には、発光波長が可視または近赤外領域に存在し、発光効率が高くて、ｐ−ｎ接合で製作できる砒素化ガリウム（ＧａＡｓ）、燐化ガリウム（ＧａＰ）、ガリウム-砒素-燐（ＧａＡｓ  Ｐ）、ガリウム-アルミニウム-砒素（ＧａＡｌＡｓ）、燐化インジウム（ＩｎＰ）、インジウム-ガリウム-燐（ＩｎＧａＰ）等の化合物半導体が使用される。ＬＥＤは、図１及び図２のように、透明キャップ樹脂がドム形であるＬＥＤと、図３及び図４のように、透明キャップ樹脂の腰部が凹状に掘られた瓢状のサイドエミッター形のＬＥＤとがある。サイドエミッター形のＬＥＤは側面に９５％の光を出射し、正面に５％の光を出射する。本発明に適用されるＬＥＤ３８は、側壁３９ないし４２の間で光が十分に混合されるようにサイドエミッター形のＬＥＤが好ましい。
【００４２】
拡散板３５は、Ｖ−ブロック型反射板３６からの光を拡散させ、液晶表示パネル３４の表示面の全体に対して光の均一度を増大させる。
【００４３】
光学シート３４は、光を拡散させるための少なくとも一枚の拡散シートと、光の経路を液晶表示パネルの表示面に対して大略垂直に折るための少なくとも一枚のプリズムシートとを含む。
【００４４】
図５及び図６は、本発明の第２の実施の形態に係る液晶表示装置を示す図面である。
【００４５】
図５及び図６を参照すると、本発明の実施の形態に係る液晶表示装置は、画像を示すための液晶表示パネル６１と、液晶表示パネル６１に均一な光を照射するためのバックライトユニットとを備える。
【００４６】
液晶表示パネル６１は、前述の実施の形態と実質的に同一であるため、それについての詳細な説明は省略する。
【００４７】
バックライトユニットは、ケース６７と、中央部分に両面補助反射板６９が形成され、ケース６７の内部空間に装着されるＶ−ブロック型反射板６６と、ケース６７の底面に形成された反射シート上に配置される複数のＬＥＤ６８と、複数のＬＥＤ６８上に配置される拡散板６５及び光学シート６４を備える。
【００４８】
ケース６７は、その内部空間にＶ−ブロック型反射板６６が装着され、ケース６７の底の反射シート上に、少なくとも２列以上に配置される複数のＬＥＤ６８が配置される。ケース６７の平坦な底面の中央部分に形成された両面補助反射板６９は、一側ＬＥＤ列と他側ＬＥＤ列との間に配置される。このケース６７の縁部と拡散板６５の縁部とが固定される。
【００４９】
Ｖ−ブロック型反射板６６はＬＥＤ６８からの光を拡散板６５側に反射させる役割をする。このＶ−ブロック型反射板６６は、ＬＥＤ６８が配置される平板な底面、その底面の中央部に配置される両面補助反射板６９、その底面の両側で所定の離隔距離２ｌ２に離隔され、それぞれ垂直に立てられた第１及び第２の側壁７０、７１、その第１及び第２の側壁７０、７１それぞれで所定の勾配（θ３）だけ横たわれた第１及び第２の傾斜面７２、７３を含む。このようなＶ−ブロック型反射板６６において、側壁７０、７１と傾斜面７２、７３の高さ、両面補助反射板６９の高さ、第１及び第２の傾斜面７２、７３と拡散板６５の間の角度（θ３）は、暗線（ｄａｒｋ  ｌｉｎｅ）が見えず、ＬＥＤ６８からの光が側壁７０、７１と傾斜面７２、７３内で十分に混合された後に拡散板６５側に進行するように最適化されるべきである。このために、両面補助反射板６９の高さ（ｈ２）は２０ｍｍ以下に設定されることが好ましく、第１または第２の側壁７０、７１と両面補助反射板６９の間の距離ｌ２は４０〜６０ｍｍ以内が好ましく、第１の側壁７０と第２の側壁７１の高さ（ｈ１）は２０〜５０ｍｍが好ましい。そして、勾配（θ３）は第１または第２の側壁７０、７１と両面補助反射板６９の間の距離に比例して設定する。即ち、前記勾配（θ３）はＶ−ブロック型反射板６６の長さＬから第１の側壁７０と第２の側壁７１との距離を引く、その結果値の半分値と、Ｈとｈ１の差異値とのアークタンジェント値に定められる。このようなＶ−ブロック型反射板６６は、反射率の高い、軽いアルミニウムやプラスチック材質に形成される。
【００５０】
結果的に、ＬＥＤ６８から出射された青、緑及び赤色光は、第１及び第２の側壁７０、７１と両面補助反射板６９との間で反射されることにより混合されて白色光に変換され、カラーミキシングされた白色光は拡散板６５に対する入射角によって、拡散板６５に直接入射されるか、拡散板６５で反射された後に第３及び第４の傾斜面７２、７３により反射され、拡散板６５に再入射される。
【００５１】
ＬＥＤ６８、拡散板６５及び光学シート６４は、前述の実施の形態と実質的に同一であるため、それについての詳細な説明は省略する。
【００５２】
図７は、本発明の第３の実施の形態に係る液晶表示装置を示す図面である。
【００５３】
図７を参照すると、本発明に係るＶ−ブロック型反射板８６は、両側それぞれにカーブ形態の曲面に形成された第１及び第２の側壁８１、８２を備える。
【００５４】
このようなＶ−ブロック型反射板６６は、前述の図３及び図４の第１の実施の形態と、図５及び図６の第１の実施の形態とのそれぞれに記載された側壁及び傾斜面を代用することができ、光混合程度と光均一度に対する効果も第１及び第２の実施の形態と実質的に同一に示す。
【００５５】
従って、本発明に係る中小形バックライトユニットは、反射板の構造を改善して別途の導光板を必要としないため、導光板の垂れを防ぐことができる。また、本発明に係る液晶表示装置は、前記バックライトユニットを用いて表示品質を向上させることができる。
【００５６】
以上、説明した内容を通じて、当業者であれば本発明の技術思想を逸脱しない範囲内で種々なる変更および修正が可能であることが分かる。従って、本発明の技術的範囲は、明細書の詳細な説明に記載した内容に限定されるものではなく、特許請求の範囲により定めなければならない。
【図面の簡単な説明】
【００５７】
【図１】従来の液晶表示装置を示す図面である。
【図２】図１において、線Ｉ-Ｉ’を切り取った縦断面を示す図面である。
【図３】本発明の第１の実施の形態に係る液晶表示装置を示す図面である。
【図４】図３において、線II-II’を切り取った縦断面を示す図面である。
【図５】本発明の第２の実施の形態に係る液晶表示装置を示す図面である。
【図６】図５において、線III-III’を切り取った縦断面を示す図面である。
【図７】本発明の第３の実施の形態に係る液晶表示装置を示す図面である。
【符号の説明】
【００５８】
１１、３１、６１：液晶表示パネル
１４、３４、６４：光学シート
１５、３５、６５：拡散板
１６：導光板
２０：反射体
１７、３６、６６、８６：反射板
１８、３７、６７；ケース
１９、３８、６８：発光ダイオード
６９：両面補助反射板
３９、７０、８１：第１の側壁
４１、７２；第１の傾斜面
４０、７１、８２：第２の側壁
４２、７３： 第２の傾斜面
【図１】
2006351540.tif 000003
【図２】
2006351540.tif 000004
【図３】
2006351540.tif 000005
【図４】
2006351540.tif 000006
【図５】
2006351540.tif 000007
【図６】
2006351540.tif 000008
【図７】
2006351540.tif 000009